(57)【特許請求の範囲】
【請求項１】
複写機能及び通信機能を有し、原稿を読み取る読取部及び手差用紙を支持する手差部を備えた複写機能付き通信端末装置において、
前記通信機能により受信した受信画データを出力するための手差用紙のサイズ、及び前記読取部にて読み取られた原稿を出力するための手差用紙のサイズを入力する入力手段と、
前記受信した受信画データを出力するための手差用紙のサイズを記憶する記憶手段と、
前記手差部に支持されている手差用紙のサイズとして設定されている、前記受信した受信画データを出力するための手差用紙のサイズを、前記読取部にて読み取られた原稿を出力するための手差用紙のサイズに変更して前記原稿を手差用紙に複写した場合、前記手差用紙のサイズを前記記憶手段に記憶された手差用紙のサイズに自動復帰させる制御手段と
を備えた複写機能付き通信端末装置。
【請求項２】
複写機能付き通信端末装置における動作状態等の各種情報を表示させる表示部を更に備え、
前記制御手段は、前記読取部にて読み取られた原稿を手差用紙に複写する場合であって前記入力手段から前記手差用紙のサイズが入力されたとき、その手差用紙のサイズと前記記憶手段に記憶された手差用紙のサイズとを比較し、前記入力手段から入力された手差用紙のサイズと前記記憶手段に記憶された手差用紙のサイズとが異なる場合に、前記表示部に手差用紙の取替えを促すメッセージを表示させる請求項１に記載の複写機能付き通信端末装置。
【請求項３】
前記手差用紙を取替えたか否かを検出する手差用紙センサを更に備え、
前記制御手段は、前記表示部に手差用紙の取替えを促すメッセージを表示させた後、前記手差用紙センサが前記手差用紙を取替えたことを検出した場合に、複写動作を開始させる請求項２に記載の複写機能付き通信端末装置。
【発明の詳細な説明】
【０００１】
【発明の属する技術分野】
この発明は、複写機能及びファクシミリ通信等の通信機能を備えた複写機能付き通信端末装置に関するものである。
【０００２】
【従来の技術】
この種の複写機能付き通信端末装置において、装置の内部にセットされた用紙の外に、手差用紙に記録を行うことができるようにしたタイプのものがある。しかし、手差用紙は、装置の外部にセットされるものであるため、そのサイズを検出することができない。このため、従来は、例えば葉書サイズの用紙を手差部にセットして複写を行う場合には、用紙サイズを指定して、その用紙サイズに応じた複写が行われるようにし、その複写終了後にファックス通信に備えて、Ａ４等の通信用手差用紙に取替えてそのサイズを再指定していた。
【０００３】
【発明が解決しようとする課題】
そのため、この従来の複写機能付き通信端末装置においては、手差用紙による複写終了後に、受信した受信画データを出力するための手差用紙のサイズを再指定する操作が面倒であるという問題があった。また、この用紙サイズの再指定操作をし忘れると、受信データのサイズと用紙のサイズとが一致しなかったり、受信不能に陥ったりするという問題もあった。
【０００４】
この発明は、このような従来の技術に存在する問題点に着目してなされたものである。その目的とするところは、手差用紙による複写終了後に、受信した受信画データを出力するための手差用紙のサイズを再設定するという面倒な操作を省略することができるとともに、用紙サイズの再セット操作をし忘れることを防止することができる複写機能付き通信端末装置を提供することにある。
【０００５】
【課題を解決するための手段】
上記の目的を達成するために、請求項１に記載の発明では、複写機能及び通信機能を有し、原稿を読み取る読取部及び手差用紙を支持する手差部を備えた複写機能付き通信端末装置において、前記通信機能により受信した受信画データを出力するための手差用紙のサイズ、及び前記読取部にて読み取られた原稿を出力するための手差用紙のサイズを入力する入力手段と、前記受信した受信画データを出力するための手差用紙のサイズを記憶する記憶手段と、前記手差部に支持されている手差用紙のサイズとして設定されている、前記受信した受信画データを出力するための手差用紙のサイズを、前記読取部にて読み取られた原稿を出力するための手差用紙のサイズに変更して前記原稿を手差用紙に複写した場合、前記手差用紙のサイズを前記記憶手段に記憶された手差用紙のサイズに自動復帰させる制御手段とを備えたものである。
【０００６】
請求項２に記載の発明では、請求項１に記載の複写機能付き通信端末装置において、複写機能付き通信端末装置における動作状態等の各種情報を表示させる表示部を更に備え、前記制御手段は、前記読取部にて読み取られた原稿を手差用紙に複写する場合であって前記入力手段から前記手差用紙のサイズが入力されたとき、その手差用紙のサイズと前記記憶手段に記憶された手差用紙のサイズとを比較し、前記入力手段から入力された手差用紙のサイズと前記記憶手段に記憶された手差用紙のサイズとが異なる場合に、前記表示部に手差用紙の取替えを促すメッセージを表示させるものである。
【０００７】
請求項３に記載の発明では、請求項２に記載の複写機能付き通信端末装置において、前記手差用紙を取替えたか否かを検出する手差用紙センサを更に備え、前記制御手段は、前記表示部に手差用紙の取替えを促すメッセージを表示させた後、前記手差用紙センサが前記手差用紙を取替えたことを検出した場合に、複写動作を開始させるものである。
【０００８】
【発明の実施の形態】
以下に、この発明をコピー・ファクシミリ複合機に具体化した一実施形態を、図面に基づいて説明する。
【０００９】
図１に示すように、この複合機の装置本体１１には、原稿給送部１２と、原稿載置部１３と、読取部１４と、カット紙供給部１５と、手差用紙供給部１６と、記録部１７と、カット紙排出部１８とが装設されている。
【００１０】
図１及び図２に示すように、前記原稿給送部１２は、原稿２１を載置する原稿台２２と、原稿２１を１枚ずつ分離供給する分離ローラ２３と、分離された原稿２１を給送する複数の給送ローラ２４と、上面を原稿２１が通過する透光板２５と、排出された原稿２１をストックする原稿排出台２６とを備えている。
【００１１】
原稿有無センサ２７は前記原稿台２２に対向配置され、原稿台２２上に原稿２１が載置されているときに検出信号を出力する。原稿排出センサ２８は原稿排出台２６に対向配置され、原稿排出台２６上へ原稿２１が排出されたときに検出信号を出力する。
【００１２】
前記原稿載置部１３は、上面に原稿２１を載置するための透明な原稿載置板３１と、その原稿載置板３１上に開閉回動可能に配設された押え蓋３２とを備えている。そして、前記原稿給送部１２の原稿台２２及び原稿排出台２６は、この原稿載置部１３の押え蓋３２上に配設され、押え蓋３２と一体的に開閉回動されるようになっている。
【００１３】
図１及び図２に示すように、前記読取部１４は、透光板２５上を通過する原稿２１または原稿載置板３１上に載置された原稿２１に光を照射する光源３７と、原稿２１からの反射光の光路を変更する第１〜第３ミラー３８，３９，４０と、光源３７及び第１〜第３ミラー３８，３９，４０を移動させるための移動機構４１とを備えている。さらに、読取部１４は、第３ミラー４０からの光を収束させる集光レンズ４２と、その集光レンズ４２を通して入射した光に基づき原稿２１上の画像を読取る撮像素子（ＣＣＤ）４３とを備えている。
【００１４】
前記移動機構４１は、左右一対の大径プーリ４４，４５と、左右一対の小径プーリ４６，４７と、大径プーリ４４，４５間に掛装された第１ベルト４８と、小径プーリ４６，４７間に掛装された第２ベルト４９とを備えている。さらに、移動機構４１は、第１ベルト４８に連結された第１キャリッジ５０と、その第２ベルト４９に連結された第２キャリッジ５１と、ステップモータ５２とを備えている。
【００１５】
前記大径プーリ４４，４５の直径は小径プーリ４６，４７の直径の２倍となるように形成されている。また、左側の大径プーリ４４と小径プーリ４６とは、同一軸線上で一体回転可能に連結されて、ステップモータ５２に作動連結されている。さらに、第１キャリッジ５０上には光源３７及び第１ミラー３８が支持され、第２キャリッジ５１上には第２ミラー３９及び第３ミラー４０が支持されている。
【００１６】
そして、ステップモータ５２にて大径プーリ４４，４５及び小径プーリ４６，４７が回転されることにより、第１及び第２ベルト４８，４９を介して、第１及び第２キャリッジ５０，５１が移動される。このとき、第１キャリッジ５０は第２キャリッジ５１の２倍の移動速度で移動される。それにより、両キャリッジ５０，５１は図１に示すように、中間の待機位置Ｐ１と、透光板２５の直下に対向位置する第１原稿読取位置Ｐ２と、原稿載置板３１の基準端３１ａの直下に対向位置する第２原稿読取位置の開始点Ｐ３とに移動配置される。
【００１７】
また、前記原稿給送部１２と読取部１４とにより複数原稿自動読取部（ＡＤＦ）が構成され、キャリッジ５０，５１が第１原稿読取位置Ｐ２に移動配置された状態で、透光板２５上を通過する原稿２１の画像が読取られる。さらに、原稿載置部１３と読取部１４とによりフラットベッド読取部（ＦＢＳ）が構成され、キャリッジ５０，５１が第２原稿読取位置の開始点Ｐ３に移動配置された後に、終了点Ｐ４に向かって移動されて、原稿載置板３１上に載置された原稿２１の画像が読取られる。
【００１８】
図１及び図２に示すように、読取位置センサ５３は前記原稿載置板３１の基準端３１ａの下部に配設され、キャリッジ５０，５１が第２原稿読取位置の開始点Ｐ３に移動されたときに検出信号を出力する。
【００１９】
図１に示すように、前記カット紙供給部１５は、所定サイズのカット紙５６を積層状態で収容した複数（この実施形態では２つ）の給紙カセット５７と、各給紙カセット５７内のカット紙５６を１枚ずつ記録部１７に向けて給送する給紙ローラ５８と、カット紙５６の給送を案内するガイド板５９とを備えている。なお、各給紙カセット５７内にはサイズの異なるカット紙５６が収容されている。
【００２０】
前記手差用紙供給部１６は、手差用紙６２を支持するために装置本体１１の一側に開閉可能に設けられた手差用紙支持板６３と、その手差用紙支持板６３上の手差用紙６２を前記ガイド板５９を介して１枚ずつ記録部１７に向けて給送する給紙ローラ６４とを備えている。手差用紙センサ６５は手差用紙支持板６３に対向配置され、手差用紙支持板６３上に手差用紙６２が支持されているときに検出信号を出力する。
【００２１】
前記記録部１７は、感光ドラム６８と、その感光ドラム６８の表面を所定電位に一様に帯電させる帯電器６９と、感光ドラム６８上に画像の静電潜像を形成する露光器７０と、感光ドラム６８上の静電潜像にトナーを供給してその潜像を顕像化する現像器７１とを備えている。さらに、記録部１７は、感光ドラム６８に対してカット紙５６または手差用紙６２を給送する給送ローラ７２と、トナー画像を感光ドラム６８上からカット紙５６または手差用紙６２上に転写させる転写器７３と、カット紙５６または手差用紙６２上のトナー画像を加熱定着させる加熱定着器７４とを備えている。
【００２２】
前記カット紙排出部１８は、記録済みのカット紙５６または手差用紙６２を排出する排紙ローラ７７と、カット紙５６または手差用紙６２の排出を案内するガイド板７８と、排出されたカット紙５６または手差用紙６２をストックする排紙トレイ７９とを備えている。
【００２３】
次に、前記のように構成されたコピー・ファクシミリ複合機の回路構成について説明する。図３に示すように、中央処理装置（ＣＰＵ）８２は、複合機の各部の動作を制御する。リードオンリメモリ（ＲＯＭ）８３は、複合機の動作に必要な各種の制御プログラムを記憶している。ランダムアクセスメモリ（ＲＡＭ）８４は、制御プログラムの実行に伴って得られたデータ等を一時的に記憶する。そして、このＣＰＵ８２、ＲＯＭ８３及びＲＡＭ８４により、制御手段が構成されている。
【００２４】
また、ＲＡＭ８４により記憶手段が構成され、そのＲＡＭ８４には第１メモリ８４ａ、第２メモリ８４ｂ及び第３メモリ８４ｃが設けられている。第１メモリ８４ａは通信用手差用紙のサイズを記憶する。第２メモリ８４ｂは複写用手差用紙のサイズを記憶する。第３メモリ８４ｃは記録動作のための手差用紙のサイズを記憶するものであって、そのデータは前記第１メモリ８４ａ及び第２メモリ８４ｂから転送される。
前記手差用紙センサ６５は、ＣＰＵ８２に検出信号を出力する。読取部１４は、透光板２５または原稿載置板３１を介して原稿２１上の画像を読取って、白黒２値のイメージデータをＣＰＵ８２に出力する。画像メモリ８５は、受信画データや読取部１４で読取られた画データを一時的に記憶する。記録部１７は、受信画データや読取部１４で読取られた画データをカット紙５６等に記録する。
【００２５】
表示部８６は液晶表示パネルやＬＥＤを備え、例えば「コピーモード」、「通信モード」、「用紙を差替えましたか」、「待機中」、「機器異常」のように、装置の動作状態等の各種情報を表示する。操作部８７は、コピー／通信キー８７ａ、スタートキー８７ｂ、用紙サイズ入力キー８７ｃ等の各種操作キーを備えている。
【００２６】
前記コピー／通信キー８７ａは、コピーモードを実行させるか、ファクシミリ通信モードを実行させるかを選択する場合に操作する。スタートキー８７ｂは、複写動作やファクシミリ通信動作を開始させる場合に操作する。用紙サイズ入力キー８７ｃは入力手段を構成し、手差用紙６２を使用してファックス受信を行う場合に、通信用手差用紙のサイズを指定入力するとともに、手差用紙６２を使用して手差複写を行う場合に、複写用手差用紙のサイズを指定入力する。
【００２７】
モデム８８は、送受信データの変調及び復調を行うものである。ネットワークコントロールユニット（ＮＣＵ）８９は、電話回線Ｌ１の閉結及び開放を制御するとともに、相手先のファックス番号に対応したダイヤルパルスの送出及び着信を検出する機能等を備えている。
【００２８】
そして、前記ＣＰＵ８２は、手差用紙６２の使用によるファックス受信に際して、用紙サイズ入力キー８７ｃから通信用手差用紙のサイズが入力されたとき、その用紙サイズをＲＡＭ８４の第１メモリ８４ａに記憶させる。また、ＣＰＵ８２は、手差用紙６２の使用による手差複写に際して、用紙サイズ入力キー８７ｃから複写用手差用紙のサイズが入力されたとき、その用紙サイズをＲＡＭ８４の第２メモリ８４ｂに記憶させる。
【００２９】
さらに、前記ＣＰＵ８２は、手差用紙６２による手差複写に際して、複写用手差用紙のサイズと通信用手差用紙のサイズとを比較し、サイズが異なる場合には、表示部８６に対して、「用紙を差替えましたか」のような、手差用紙６２の取替えメッセージを表示させる。しかも、ＣＰＵ８２は、この表示部８６の表示後に、手差用紙センサ６５からＯＮ→ＯＦＦ→ＯＮという用紙取替え終了を示す検出信号の入力を確認した場合に、原稿２１の複写動作を開始させる。
【００３０】
同様に、前記ＣＰＵ８２は、手差複写の終了時にも、複写用手差用紙のサイズと通信用手差用紙のサイズとを比較し、サイズが異なる場合には、表示部８６に対して、「用紙を差替えましたか」のように、手差用紙６２の取替えメッセージを表示させる。また、ＣＰＵ８２は、この表示部８６の表示後に、手差用紙センサ６５からＯＮ→ＯＦＦ→ＯＮという用紙取替え終了を示す検出信号の入力を確認した場合に、ＲＡＭ８４の第１メモリ８４ａに記憶された通信用手差用紙サイズの使用状態を復帰させる。
【００３１】
次に、この実施形態のコピー・ファクシミリ複合機において、手差用紙６２を使用して、原稿２１の複写を行う場合の動作について、図４に示すフローチャートに基づいて説明する。なお、このフローチャートは、ＲＯＭ８３に記憶されている制御プログラムに基づいて、ＣＰＵ８２の制御のもとで進行する。
【００３２】
さて、手差用紙６２を使用してファックス受信が行われる場合に、操作者により操作部８７の用紙サイズ入力キー８７ｃから通信用手差用紙のサイズ（例えばＡ４サイズ）が指定のために入力されると、その用紙サイズがＲＡＭ８４の第１メモリ８４ａに一旦記憶される（Ｓ１）。そして、この第１メモリ８４ａの用紙サイズデータが、動作エリアである第３メモリ８４ｃに転送記憶される（Ｓ２）。
【００３３】
その後、コピー／通信キー８７ａの操作により、手差複写モードが設定されているか否かが判別され（Ｓ３）、手差複写モードが設定されていない場合には、すなわち、コピー／通信キー８７ａにより受信モードが設定されている場合には、指定された手差用紙６２を使用して、その手差用紙６２のサイズに適応した記録をともなうファックス受信が行われて（Ｓ４）、処理が終了する。
【００３４】
一方、前記Ｓ３の判別において、手差複写モードが設定されている状態で、用紙サイズ入力キー８７ｃから複写を行おうとする複写用手差用紙のサイズが指定入力されると、その用紙サイズのデータがＲＡＭ８４の第２メモリ８４ｂに一旦記憶される（Ｓ５）。その後、第１メモリ８４ａに記憶された通信用手差用紙のサイズのデータと、第２メモリ８４ｂに記憶された複写用手差用紙のサイズのデータとが比較される（Ｓ６）。
【００３５】
そして、両用紙サイズのデータが異なる場合には、例えば、第１メモリ８４ａに記憶されたサイズデータがＡ４サイズで、第２メモリ８４ｂに記憶されたサイズデータがＢ５サイズである場合には、複写されるデータと手差用紙６２のサイズが不適合になるおそれがあるため、表示部８６に対して、「用紙を差替えましたか」のように、手差用紙６２の取替えメッセージが表示される（Ｓ７）。この表示に基づいて、手差用紙支持板６３上の通信用手差用紙６２を、指定したサイズの複写用手差用紙６２に取替えた後、確認のためのＹｅｓキーを押下操作すると（Ｓ８）、その取替えともない手差用紙センサ６５からＯＮ→ＯＦＦ→ＯＮという用紙取替え終了の検出信号の出力の有無が判断される（Ｓ９）。すなわち、手差用紙６２の取替えのために、手差用紙６２を手差用紙支持板６３から抜くと、手差用紙センサ６５がＯＮからＯＦＦに切替えられ、次いで新たな手差用紙６２を挿入支持すると、手差用紙センサ６５がＯＦＦからＯＮに切替えられる。
【００３６】
その後、第２メモリ８４ｂに記憶されている用紙サイズのデータが、動作エリアである第３メモリ８４ｃに転送記憶される（Ｓ１０）。また、前記Ｓ６の判別において、両用紙サイズが同一の場合には、前述したＳ７〜Ｓ９をジャンプして、このＳ１０の動作が実行される。この状態で、原稿給送部１２の原稿台２２上または原稿載置部１３の原稿載置板３１上に原稿２１を載置して、スタートキー８７ｂを押下操作すると（Ｓ１１）、記録部１４により原稿２１上の画像が読取られるとともに、その画データが記録部１７により指定されたサイズの複写用手差用紙６２上に記録される（Ｓ１２）。
【００３７】
このように、手差用紙６２を使用した複写動作が終了すると、ファックス用の第１メモリ８４ａに記憶された通信用手差用紙のサイズデータと、複写用の第２メモリ８４ｂに記憶された複写用手差用紙のサイズデータとが比較される（Ｓ１３）。そして、例えば、複写終了後に用紙サイズ入力キー８７ｃにより第１メモリ８４ａの用紙サイズデータが書き換えられて両メモリ８４ａ，８４ｂに記憶された用紙サイズデータが異なる場合には、表示部８６に対して、「用紙を差替えましたか」のように、手差用紙６２の取替えメッセージが表示される（Ｓ１４）。この表示に基づいて、手差用紙支持板６３上の複写用手差用紙６２を、サイズの異なった通信用手差用紙６２に取替えた後、確認のためのＹｅｓキーを押下操作すると（Ｓ１５）、手差用紙センサ６５からのＯＮ→ＯＦＦ→ＯＮの用紙取替え終了を示す検出信号の有無が判別される（Ｓ１６）。
【００３８】
その後、ファクス用の第１メモリ８４ａに記憶されている用紙サイズデータが、動作用の第３メモリ８４ｃに記憶される（Ｓ１７）。また、前記Ｓ１３の判別において、両用紙サイズが同一の場合には、前述したＳ１４〜Ｓ１６をジャンプして、このＳ１７の動作が実行される。そして、この状態でファックス受信の待機状態になって（Ｓ１８）、処理が終了する。
【００３９】
次に、前記の実施形態によって期待できる効果について、以下に記載する。
・この実施形態の複写機能付き通信端末装置では、入力手段としての用紙サイズ入力キー８７ｃにより、通信用手差用紙のサイズが予め指定入力されて、記憶手段としてのＲＡＭ８４に記憶されるようになっている。そして、サイズの異なる手差用紙６２を指定して記録部１７で複写を行い、その複写が終了した場合、制御手段としてのＣＰＵ８２の制御により、前記Ｓ１７のように、ＲＡＭ８４に記憶された通信用手差用紙サイズのデータに自動復帰されるようになっている。このため、手差用紙６２による複写終了後に、通信用手差用紙のサイズを再設定するという面倒な操作を省略することができる。また、用紙サイズの再設定操作をし忘れて、受信不能に陥ったりするおそれを防止することもできる。
【００４０】
・この実施形態の複写機能付き通信端末装置では、手差複写時に、用紙サイズ入力キー８７ｃにより、複写用手差用紙のサイズが入力されたとき、ＣＰＵ８２の制御により、複写用手差用紙のサイズと通信用手差用紙のサイズとが比較される。そして、サイズが異なる場合には、表示部８６に用紙の取替えメッセージが表示されるようになっている。このため、サイズの異なる手差用紙６２による手差複写時に、手差用紙６２の取替えを促すことができて、サイズの異なった手差用紙６２上に誤って複写が行われるおそれを防止することができる。
【００４１】
・この実施形態の複写機能付き通信端末装置では、表示部８６に用紙の取替えメッセージが表示されるとともに、手差用紙センサ８７ｃからの用紙取替え終了の検出信号が確認されたとき、ＣＰＵ８２の制御により複写動作が開始されるようになっている。このため、手差用紙６２による手差複写時に、手差用紙６２の取替えを確認して複写動作を開始することができて、サイズの異なった手差用紙６２上に誤って複写が行われるおそれを、一層確実に防止することができる。
【００４２】
なお、前記実施形態は、次のように変更して具体化することも可能である。
・前記実施形態におけるＳ８，Ｓ１５の判断を省略し、Ｓ９，Ｓ１６の判断のみにより手差用紙の取替えを確認するように構成すること。
【００４３】
次に、前記実施形態から把握される技術的思想を以下に記載する。
・前記制御手段は、手差複写時に入力手段から入力される複写用手差用紙のサイズを記憶手段に記憶させ、手差複写の終了時に、記憶手段に記憶された複写用手差用紙のサイズと通信用手差用紙のサイズとを比較して、サイズが異なる場合に、表示部に用紙の取替えを表示させる複写機能付き通信端末装置。
【００４４】
この構成によれば、手差複写の終了時に、通信用手差用紙への取替えを促すことができて、サイズの異なった複写用手差用紙上に誤って受信画データが記録されるおそれを防止することができる。
【００４５】
【発明の効果】
この発明は、以上のように構成されているため、次のような効果を奏する。
請求項１に記載の発明によれば、手差部に支持されている手差用紙のサイズとして設定されている受信した受信画データを出力するための手差用紙のサイズを、読取部にて読み取られた原稿を出力するための手差用紙のサイズに変更して原稿を手差用紙に複写した場合、手差用紙のサイズを再設定するという面倒な操作を省略することができるとともに、手差用紙のサイズの再設定操作をし忘れて、受信不能に陥るおそれを防止することができる。
【００４６】
請求項２に記載の発明によれば、サイズの異なる手差用紙による手差複写時に、手差用紙の取替えを促すことができて、サイズの異なった手差用紙上に誤って複写が行われるおそれを防止することができる。
【００４７】
請求項３に記載の発明によれば、サイズの異なる手差用紙による手差複写時に、手差用紙の取替えを確認して複写動作を開始することができて、サイズの異なった手差用紙上に誤って複写が行われるおそれを、一層確実に防止することができる。
【図面の簡単な説明】
【図１】この発明を具体化した複合機の一実施形態を示す断面図。
【図２】その画像読取構成を拡大して示す要部断面図。
【図３】複合機の回路構成を示すブロック図。
【図４】手差用紙による複写動作を示すフローチャート。
【符号の説明】
１１…装置本体、１２…原稿給送部、１３…原稿載置部、１４…読取部、１６…手差用紙供給部、１７…記録部、２１…原稿、２２…原稿台、２５…透光板、３１…原稿載置板、３７…光源、４３…撮像素子、６２…手差用紙、６３…手差用紙支持板、６５…手差用紙センサ、８２…制御手段を構成するＣＰＵ、８３…制御手段を構成するＲＯＭ、８４…制御手段及び記憶手段を構成するＲＡＭ、８４ａ…第１メモリ、８４ｂ…第２メモリ、８４ｃ…第３メモリ、８６…表示部、８７…操作部、８７ｃ…入力手段を構成する用紙サイズ入力キー。
【図１】
0003596223.tif 000002
【図２】
0003596223.tif 000003
【図３】
0003596223.tif 000004
【図４】
0003596223.tif 000005